(57)【特許請求の範囲】
【請求項１】
ケース２と、該ケース内に着脱可能に収納させた液体収納具３とからなり、上記ケース２は、上端面を開口した有底の扁平筒状をなすとともに、前後壁８ａ，８ｂに切り溝９を穿設することにより揺動可能な押圧板１０を各々画成してなるケース本体４と、該本体の上端開口部一側にヒンジ１１を介して回動可能に一側縁を連結して上端開口を開閉可能に閉塞するとともに、閉塞状態に於いてケース本体４に係止可能に構成した蓋板５と、該蓋板５中央に穿設した窓孔１４周縁部に下端縁を切り取り可能に連結した下端面開口の筒状をなすキャップ６とから構成し、上記液体収納具３は、上記ケース本体４内に収納した圧搾可能な筒状胴部１６と、該胴部１６上面中央部に下端を開口して上記キャップ６内に突出嵌合させた上端閉塞の筒状口部１７とから構成したことを特徴とする液体注出容器。
【請求項２】
上記液体収納具３が、圧搾可能な収納皿部１８の一側中央を外方へ膨出させて収納皿部１８内と連通する皿状の口部１９を突設した皿状体２０と、該皿状体の開口部を被覆して収納皿部及び口部上面に周縁部を固着させたシート材２１とからなる一対の液体収納具３Ａ，３Ａであり、各シート材を当接させた状態で、各収納皿部１８をケース本体４内に収納させるとともに、各口部１９，１９を上記キャップ６内に突出嵌合させてなる請求項１記載の液体注出容器。
【発明の詳細な説明】
【０００１】
【発明の属する技術分野】
本発明は液体注出容器に関し、詳しくは、簡易な交換用の液体収納具を備え、該収納具を収納して注出させるケースを備えた液体注出容器に関する。
【０００２】
【従来の技術】
液体を収納し、注出する液体注出容器として、極一般的にはボトルタイプの容器が挙げられる。これらは、例えば、筒状胴部より口頚部を起立させた容器体と、上記口頚部外周に周壁内面を螺着させて着脱自在に装着させたキャップとを備えたものである。
【０００３】
【発明が解決しようとする課題】
これらは構造は簡単ではあるものの、収納液使用後はそのまま廃棄するため不経済であり、また収納液の粘度が高い場合には液の注出に時間が掛かり、或いは注出出来ないという不都合を生じる。また、当然のことながら二種類の液を同時に保管，注出できるものではない。
【０００４】
本発明は上記した点に鑑み収納液使用後は簡素に構成した液体収納具のみを廃棄して、新たな液体収納具を嵌合すれば良く、経済的で、しかも使用に当たっても簡単に液の注出を行え、更に収納液の粘度が高い場合でも簡単に液の注出が行える液体注出容器を提案するものである。
【０００５】
また、上記目的に加え、二液を同時に収納出来、同時に注出できる二液用の液体注出容器を提案するものである。
【０００６】
【課題を解決するための手段】
本請求項１発明の容器は上記課題を解決するため、ケース２と、該ケース内に着脱可能に収納させた液体収納具３とからなり、上記ケース２は、上端面を開口した有底の扁平筒状をなすとともに、前後壁８ａ，８ｂに切り溝９を穿設することにより揺動可能な押圧板１０を各々画成してなるケース本体４と、該本体の上端開口部一側にヒンジ１１を介して回動可能に一側縁を連結して上端開口を開閉可能に閉塞するとともに、閉塞状態に於いてケース本体４に係止可能に構成した蓋板５と、該蓋板５中央に穿設した窓孔１４周縁部に下端縁を切り取り可能に連結した下端面開口の筒状をなすキャップ６とから構成し、上記液体収納具３は、上記ケース本体４内に収納した圧搾可能な筒状胴部１６と、該胴部１６上面中央部に下端を開口して上記キャップ６内に突出嵌合させた上端閉塞の筒状口部１７とから構成したことを特徴とする液体注出容器として構成した。
【０００７】
また、請求項２発明の容器は、上記液体収納具３が、圧搾可能な収納皿部１８の一側中央を外方へ膨出させて収納皿部１８内と連通する皿状の口部１９を突設した皿状体２０と、該皿状体の開口部を被覆して収納皿部及び口部上面に周縁部を固着させたシート材２１とからなる一対の液体収納具３Ａ，３Ａであり、各シート材を当接させた状態で、各収納皿部１８をケース本体４内に収納させるとともに、各口部１９，１９を上記キャップ６内に突出嵌合させてなる請求項１記載の液体注出容器として構成した。
【０００８】
【発明の実施の形態】
以下、本発明の実施例の形態を図面を参照して説明する。
本発明の液体注出容器１は、ケース２と、液体収納具３とを備えている。ケース２は、合成樹脂により一体に形成されたもので、ケース本体４と、蓋板５と、キャップ６とから構成している。
【０００９】
ケース本体４は、上端を開口した有底の扁平筒状をなしており、底壁７周縁より周壁８を立設し、その周壁８の前後壁８ａ，８ｂに切り溝９を穿設することにより揺動可能に前後一対の押圧板１０，１０を画成している。
【００１０】
本実施例では、前後壁８ａ，８ｂに於いて、下端の一部を不連続に穿設した正面視縦長楕円状をなす切り溝９を設けて縦長楕円状の押圧板１０，１０を前後方向へ揺動可能に画成している。尚、この押圧板の形状は上記縦長楕円状に限らず、揺動可能な形状であって、収納する液体収納具３を効率良く押圧することができる形状であれば採用することが出来る。
【００１１】
蓋板５は、上記ケース本体４の上端開口部一側にヒンジ１１を介して回動可能に一側縁を連結してケース本体上端開口を開閉可能に閉塞する如く構成しており、また、ケース本体に係止可能に構成している。本実施例では、ケース本体４の上端外周形と略同じ大きさの矩形外周形を有する蓋板５を、周壁８の右壁８ｃ上端縁にヒンジ１１を介して連結し、また、ヒンジ１１と反対側側縁部下面（図１では上面）にフック１２を一体に突設し、該フック１２をケース本体周壁８の左壁８ｄ内面に突設した係合凸部１３に弾性係合可能に構成して、閉蓋状態を維持する如く構成している。
【００１２】
キャップ６は、蓋板５中央に穿設した窓孔１４周縁部に下端縁を切り取り可能に連結した下端面開口の筒状をなしている。本実施例では、蓋板５の中央部に横長矩形状の窓孔１４を穿設し、該窓孔１４周縁部に短い細棒状の連結片１５を介してキャップ６の下端縁を一体に連結している。
【００１３】
液体収納具３は、合成樹脂製で、交換用に簡素な構造に構成しており、上記ケース本体４内に略ピッタリ収納できる大きさの圧搾可能な矩形筒状胴部１６と、該胴部１６上面中央部に下端を開口して上記キャップ６内に突出嵌合させた上端閉塞の筒状口部１７とから構成している。これらの液体収納具３は、例えば、ブロー成形により形成し、内容液を充填後上端を融着等の方法で閉塞させて形成する。
【００１４】
図２乃至図６は本発明の他の実施例を示すもので、本実施例では、上記液体収納具３に代えて一対の液体収納具３Ａ，３Ａを使用し、二種類の液を同時に注出できる如く構成したものである。
【００１５】
本実施例に於ける液体収納具３Ａは、図３に示す如く、圧搾可能な収納皿部１８の一側中央を外方へ膨出させて収納皿部１８内と連通する皿状の口部１９を突設してなる皿状体２０と、上記収納皿部１８上面及び口部１９上面に周縁部を、融着，接着等の適宜固着手段により固着させて収納皿部上端開口及び口部上端開口を閉塞するシート材２１とから構成している。そして、この様に構成された一対の液体収納具３Ａ，３Ａを各シート材２１，２１を当接させた状態でその収納皿部１８，１８をケース本体４内に収納するとともに、各口部１９，１９を上記キャップ６内に突出嵌合させている。
【００１６】
尚、上記皿状体２０及びシート２１は合成樹脂により形成する。また、本実施例に於いて、ケース２は上記図１の実施例と同様のケース２であるため、同符号を付して説明を省く。
【００１７】
上記の如く構成した液体注出容器１を使用する場合について図２乃至図６に示す実施例に基づき説明すると、まず、図４に示す如き状態からキャップ６をその連結片１５より切断して図５に示す如く切り離し、次いで各口部１９，１９を鋏等により切断して開口する。次いで図６に示す如く、容器１を逆様にして各押圧板１０を押圧すれば二液は同時に注出される。使用後、残液がある場合には切り取ったキャップ６を再び各口部に嵌合させておくことが出来る。
尚、図１に実施例も同様の操作で液の注出，保管を行える。
【００１８】
【発明の効果】
以上説明した如く本発明容器は、ケースと、該ケース内に着脱可能に収納させた液体収納具とから構成しているため、液体収納具内の液を使い切れば液体収納具のみを交換すれば良く、液体収納具を簡素な構造とできるため経済的であり、しかもケースは度重なる使用が可能であるため、装飾を施した強固なものとすることが出来る。
【００１９】
また、ケースは、上端面を開口した有底の扁平筒状をなすとともに、前後壁に揺動可能な押圧板を各々画成してなるケース本体と、該本体の上端開口部一側にヒンジを介して回動可能に一側縁を連結して上端開口を開閉可能に閉塞するとともに、閉塞状態に於いてケース本体に係止可能に構成した蓋板と、該蓋板中央に穿設した窓孔周縁部に下端縁を切り取り可能に連結した下端面開口の筒状をなすキャップとから構成しているため、使用に当たっては、キャップを切断除去した後口部を切断開口し、各押圧板を押圧するだけで液の簡単な注出を行えるものであり、また、液を使い切った際の液体収納具の交換が極めて簡単である。更に、残液があっても切り取ったキャップを装着しておけば液の漏出，埃の付着等を防止して保管することができる。また、押圧板を押圧して液の注出を行うため、収納液の粘度が高くても良好な液の注出を行えるものである。
【００２０】
また、請求項２発明の容器では、液体収納具を、圧搾可能な収納皿部の一側中央を外方へ膨出させて収納皿部内と連通する皿状の口部を突設した皿状体と、該皿状体の開口部を被覆して収納皿部及び口部上面に周縁部を固着させたシート材とからなる一対の液体収納具として構成し、各シート材を当接させた状態で、収納皿部をケース本体内に収納させるとともに、各口部をキャップ内に突出嵌合させたので、上記効果に加え、液を収納する各収納皿部を効率良くケース本体内に収納出来、また、簡単な操作で二液の注出を行える。
【図面の簡単な説明】
【図１】本発明の一実施例を示し、液体収納具をケースより外した状態の斜視図である。
【図２】本発明の他の実施例を示す斜視図である。
【図３】同実施例の容器体の一例を示す分解斜視図である。
【図４】同実施例の横側の縦断面図である。
【図５】同実施例のキャップを外した状態の斜視図である。
【図６】同実施例の使用状態を説明する説明図である。
【符号の説明】
２…ケース，３，３Ａ…液体収納具，４…ケース本体，５…蓋板，６…キャップ，９…切り溝，１０…押圧板，１１…ヒンジ，１４…窓孔，１６…胴部，１７…筒状口部，
１８…収納皿部，１９…口部，２０…皿状体，２１…シート材
【図１】
0003593204.tif 000002
【図２】
0003593204.tif 000003
【図３】
0003593204.tif 000004
【図４】
0003593204.tif 000005
【図５】
0003593204.tif 000006
【図６】
0003593204.tif 000007